(57)【要約】【課題】系内から排出する塩素を削減して、系外へパージする際に塩素を処理するために要するアルカリ溶液の使用量を削減するスタートアップ方法を提供することである。【解決手段】塩化水素から塩素を製造するプロセスのスタートアップ方法であって、塩化水素から塩素を含む混合ガスを製造する混合ガス製造工程（Ｓ１０）と、混合ガスを圧縮機１０４の吸入部１０４ａに導入して、圧縮機１０４により混合ガスを圧縮して、圧縮混合ガスを製造する圧縮混合ガス製造工程（Ｓ２０）と、圧縮混合ガスを精製塔１０５に導入して、蒸留により精製塩素と不純物とに分離する精製工程（Ｓ３０）と、精製塩素を圧縮機１０４の吸入部１０４ａに導入して、混合ガスと精製塩素とを圧縮する再圧縮工程とを備えている。【選択図】図２
2008063175.tif 000002
【特許請求の範囲】
【請求項１】
塩化水素から塩素を製造するプロセスのスタートアップ方法であって、
前記塩化水素から前記塩素を含む混合ガスを製造する混合ガス製造工程と、
前記混合ガスを圧縮機の吸入部に導入して、前記圧縮機により混合ガスを圧縮して、圧縮混合ガスを製造する圧縮混合ガス製造工程と、
前記圧縮混合ガスを精製塔に導入して、蒸留により精製塩素と不純物とに分離する精製工程と、
前記精製塩素を前記圧縮機の吸入部に導入して、前記混合ガスと前記精製塩素とを圧縮する再圧縮工程とを備えた、スタートアップ方法。
【請求項２】
前記精製工程では、前記不純物を前記精製塔の塔頂から排出する工程を含む、請求項１に記載のスタートアップ方法。
【請求項３】
前記精製塔から排出される前記精製塩素の純度を測定する測定工程をさらに備えた、請求項１または２に記載のスタートアップ方法。
【請求項４】
前記測定工程で前記精製塩素の純度が所定の純度未満である場合に、前記再圧縮工程を実施する、請求項３に記載のスタートアップ方法。
【請求項５】
前記混合ガス製造工程は、前記塩化水素を酸化して、前記塩素と酸素とを含む混合ガスを得る工程を含む、請求項１〜４のいずれかに記載のスタートアップ方法。
【発明の詳細な説明】
【技術分野】
【０００１】
本発明はスタートアップ方法に関し、より特定的には塩化水素から塩素を製造するプロセスのスタートアップ方法に関する。
【背景技術】
【０００２】
塩素は塩化ビニル、ホスゲンなどの原料として有用であり、塩化水素の酸化によって得られることが知られている。このような用途に用いられる塩素は、通常９９ｖｏｌ％以上の高純度の品質が求められる。高純度の塩素を製造する方法として、たとえば特開２００５−３０６７１５号公報（特許文献１）に記載の塩酸酸化プロセスにより塩素を製造する方法が挙げられる。上記特許文献１には、塩化水素を含むガスを酸素で酸化反応して得た塩素を含む混合ガスを、蒸留塔で精製し、混合ガスに同伴する酸素および二酸化炭素を分離して、所望の品質（純度）の塩素を得ることが開示されている。塩素の品質は、蒸留塔の冷却温度、塔底温度および段数などにより決定されている。
【０００３】
上記特許文献１の塩素酸化プロセスのスタートアップ時には、系内には不活性ガスおよび空気などで充満しているため、蒸留塔で精製した塩素は、再び不活性ガスおよび空気と混合して純度が低下してしまう。そのため、スタートアップ時には、系内の不活性ガスおよび空気を系外に排出する必要がある。そのため、通常、スタートアップ時には、蒸留塔で精製された塩素を、製品塩素として送気する配管に送り出さずに、系外と接続されている配管を介して系外に排出している。
【０００４】
しかしながら、スタートアップ時にこのようなガスを系外にパージすることは、蒸留塔で精製した塩素を系内から排出することになるので、塩素を製造する効率が低下するという問題がある。
【０００５】
また、塩素を含むガスは、系外にパージする前にアルカリ溶液で中和して塩素を除害する必要がある。そのため、スタートアップ時にアルカリ溶液を消費してしまうという問題がある。
【特許文献１】特開２００５−３０６７１５号公報
【発明の開示】
【発明が解決しようとする課題】
【０００６】
本発明の目的は、上記のような課題を解決するためになされたものであり、系内から排出する塩素を削減して、系外へパージする際に塩素を処理するために要するアルカリ溶液の使用量を削減するスタートアップ方法を提供することである。
【課題を解決するための手段】
【０００７】
本発明のスタートアップ方法は、塩化水素から塩素を製造するプロセスのスタートアップ方法であって、混合ガス製造工程と、圧縮混合ガス製造工程と、精製工程と、再圧縮工程とを備えている。混合ガス製造工程は、塩化水素から塩素を含む混合ガスを製造する。圧縮混合ガス製造工程は、混合ガスを圧縮機の吸入部に導入して、圧縮機により混合ガスを圧縮して、圧縮混合ガスを製造する。精製工程は、圧縮混合ガスを精製塔に導入して、蒸留により精製塩素と不純物とに分離する。再圧縮工程は、精製塩素を圧縮機の吸入部に導入して、混合ガスと精製塩素とを圧縮する。
【０００８】
本発明のスタートアップ方法によれば、精製塔で得られた精製塩素を、圧縮機を介して再度精製塔に導入している。すなわち、精製塩素を系内で滞留または循環させているため、スタートアップ時に系内から排出する塩素を削減できる。また、系外へパージする塩素を削減できるので、系外へパージする際に塩素を処理するために要するアルカリ溶液の使用量を削減することができる。
【０００９】
上記スタートアップ方法において好ましくは、精製工程では、不純物を精製塔の塔頂から排出する工程を含んでいる。これにより、蒸留される不純物を精製塔から系外へより効率良くパージできる。
【００１０】
上記スタートアップ方法において好ましくは、精製塔から排出される精製塩素の純度を測定する測定工程をさらに備えている。
【００１１】
これにより、精製塩素の純度を管理できるので、製品塩素の純度を所望の範囲内にして、高い品質を維持できる。
【００１２】
上記スタートアップ方法において好ましくは、測定工程で精製塩素の純度が所定の純度未満である場合に、再圧縮工程を実施する。
【００１３】
これにより、精製塩素が所定の範囲内の純度を満たすまで、精製塩素が系内を滞留または循環する。そのため、スタートアップ時に系内から排出される塩素をより削減できる。また、系内から排出される塩素の量を削減できるので、塩素を除害するために要するアルカリ溶液の使用量を削減することができる。さらに、精製塩素の純度を厳密に管理できるので、製品塩素の純度を維持できる。
【００１４】
上記スタートアップ方法において好ましくは、混合ガス製造工程は、塩化水素を酸化して、塩素と酸素とを含む混合ガスを得る工程を含んでいる。これにより、塩素を効率よく製造できる。
【発明の効果】
【００１５】
本発明のスタートアップ方法によれば、系内から排出する塩素を削減して、系外へパージする際に塩素を処理するために要するアルカリ溶液の使用量を削減することができる。
【発明を実施するための最良の形態】
【００１６】
以下、図面に基づいて本発明の実施の形態を説明する。なお、以下の図面において同一または相当する部分には、同一の参照符号を付し、その説明は繰り返さない。
【００１７】
（実施の形態１）
図１および図２を参照して、本発明の実施の形態１におけるスタートアップ方法について説明する。実施の形態１は、塩化水素から塩素を製造するプロセスとして塩酸酸化法（接触気相酸化法）のスタートアップ方法である。なお、図１は、本発明の実施の形態１におけるスタートアップ方法を示すフローチャートである。図２は、本発明の実施の形態１におけるスタートアップ方法を説明するための図である。
【００１８】
＜混合ガス製造工程＞
まず、図１に示すように、塩化水素から塩素を含む混合ガスを製造する混合ガス製造工程（Ｓ１０）を実施する。実施の形態１における混合ガス製造工程（Ｓ１０）は、前処理工程（Ｓ１１）と、反応工程（Ｓ１２）と、吸収工程（Ｓ１３）と、乾燥工程（Ｓ１４）とを含んでいる。塩素の原料としては、塩化水素を含むガスを用いている。なお、実施の形態１における混合ガス製造工程（Ｓ１０）は、塩化水素を酸化して、塩素と酸素とを含む混合ガスを得る工程を含んでいる。塩素と酸素とを含む混合ガスを得る工程は、少なくとも反応工程（Ｓ１２）と、吸収工程（Ｓ１３）と、乾燥工程（Ｓ１４）とを有している。
【００１９】
混合ガス製造工程（Ｓ１０）では、具体的には、まず、前処理塔（図示せず）にて、塩素の原料となる塩化水素を含むガスの不純物を除去するための前処理工程（Ｓ１１）を実施することが好ましい。前処理工程（Ｓ１１）では、たとえば、塩化水素を含むガスを前処理塔に導入し、芳香族化合物、塩素化脂肪族炭化水素、塩素化芳香族炭化水素および高沸点の無機化合物等の不純物をあらかじめ除去する。前処理方法としては一般に公知の方法を採用することができ、たとえば活性炭やゼオライト等による吸着処理等が挙げられる。また、塩化水素を含むガスを水または希塩酸に吸収させ、得られた吸収液から塩化水素ガスを放散させて、イナートガス成分や高沸点成分を除去しても良い（たとえば特開２０００−３４１０５号公報）。なお、前処理工程（Ｓ１１）は省略されてもよい。
【００２０】
塩化水素を含むガスとしては、塩素化合物の熱分解反応や燃焼反応、有機化合物のホスゲン化反応または塩素化反応、焼却炉の燃焼などにおいて発生した塩化水素を含むいかなるものも使用することができる。塩化水素を含むガス中の塩化水素の濃度は１０体積％以上、好ましくは５０体積％以上、さらに好ましくは８０体積％以上のものが用いられる。塩化水素の濃度が１０体積％よりも低い場合には、後述する精製工程（Ｓ３０）で得られる未反応酸素を主成分とするガス（不純物）中の酸素の濃度が低くなり、後述する循環工程で反応工程（Ｓ１２）へ供給する該ガスの量を少なくしなければならないことがある。
【００２１】
塩化水素を含むガス中の塩化水素以外の成分としては、オルトジクロロベンゼン、モノクロロベンゼンなどの塩素化芳香族炭化水素、およびトルエン、ベンゼンなどの芳香族炭化水素、および塩化ビニル、１，２−ジクロロエタン、塩化メチル、四塩化塩素、塩化エチルなどの塩素化炭化水素、およびメタン、アセチレン、エチレン、プロピレンなどの炭化水素、および窒素、アルゴン、二酸化炭素、一酸化炭素、ホスゲン、水素、硫化カルボニル、硫化水素、二酸化硫黄などの無機ガスが挙げられる。塩化水素と酸素の反応において、塩素化芳香族炭化水素および塩素化炭化水素は、二酸化炭素と水に酸化され、一酸化炭素は二酸化炭素に酸化され、ホスゲンは、二酸化炭素と塩素に酸化される。
【００２２】
次に、図２に示すように、触媒下、反応器１０１にて、塩化水素を含むガスを酸素を含むガスで酸化し、塩素、水、未反応塩化水素および未反応酸素を主成分とするガスを得る反応工程（Ｓ１２）を実施する。
【００２３】
反応工程（Ｓ１２）では、前処理工程（Ｓ１１）において不純物を除去された塩化水素を含むガスとともに、酸素を含むガスが、反応器１０１に導入される。反応器１０１内では、以下の反応式により塩化水素が酸素によって酸化され、塩素が生成する。
４ＨＣｌ＋Ｏ2→２Ｃｌ2＋２Ｈ2Ｏ
【００２４】
酸素を含むガスとしては、酸素または空気が使用されるが、好ましくは酸素の濃度が８０体積％以上、さらに好ましくは９０体積％以上のものが用いられる。酸素の濃度が８０体積％よりも小さい場合には、後述する精製工程（Ｓ３０）で得られる未反応酸素を主成分とするガス中の酸素濃度が低くなり、後述する循環工程で反応工程（Ｓ１２）へ供給する該ガスの量を少なくしなければならないことがある。酸素濃度が８０体積％以上の酸素を含むガスは、空気の圧力スイング法や深冷分離などの通常の工業的な方法によって得ることができる。酸素を含むガス中の塩化水素以外の成分としては、窒素（Ｎ2）やアルゴン（Ａｒ）などが挙げられる。
【００２５】
塩化水素１モルに対する酸素の理論モル量は０．２５モルであるが、理論量以上供給することが好ましく、塩化水素１モルに対し酸素０．２５〜２モルとなるように供給することがさらに好ましい。酸素の量が過少であると、塩化水素の転化率が低くなる場合がある。一方、酸素の量が過多であると生成した塩素と未反応酸素の分離が困難になる場合がある。
【００２６】
反応工程（Ｓ１２）では、ルテニウムおよび／またはルテニウム化合物等を含む触媒の存在下、塩化水素を酸素で酸化し、塩素、水、未反応塩化水素および未反応酸素を主成分とするガスを得ることが好ましい。ルテニウムおよび／またはルテニウム化合物を触媒として用いることにより、触媒成分の揮発や飛散による配管等の閉塞トラブルを防止するとともに、揮発または飛散した触媒成分の処理工程が不要となる。さらに、化学平衡の観点でもより有利な温度で塩素を製造できるため、後述する吸収工程（Ｓ１３）、乾燥工程（Ｓ１４）および精製工程（Ｓ３０）等の後工程を簡略化し、設備コスト及び運転コストを低く抑制することができる。
【００２７】
上記のルテニウムおよび／またはルテニウム化合物を含む触媒としては、公知の触媒（たとえば特開平９−６７１０３号公報、特開平１０−１８２１０４号公報、特開平１０−１９４７０５号公報、特開平１０−３３８５０２号公報および特開平１１−１８０７０１号公報に記載されるもの）を用いることができる。
【００２８】
反応工程（Ｓ１２）においては、酸化ルテニウムを含む触媒を用い、塩化水素ガスと酸素ガスとを反応させることにより塩素ガスを生成することが好ましい。酸化ルテニウムを含む触媒を用いた場合、塩化水素の転化率が著しく向上するという利点を有する。触媒中の酸化ルテニウムの含有量は、０．１〜２０質量％の範囲内とされることが好ましい。酸化ルテニウムの量が０．１質量％よりも少ない場合、触媒活性が低く塩化水素の転化率が低くなる場合があり、一方、酸化ルテニウムの量が２０質量％よりも多い場合には触媒価格が高くなる場合がある。なお、塩化水素の転化率は８５％以上とすることが好ましい。
【００２９】
特に、たとえば特開平１０−３３８５０２号公報に記載されるような、酸化ルテニウムの含有量が０．１〜２０質量％であり、酸化ルテニウムの中心径が１．０〜１０．０ナノメートルである担持酸化ルテニウム触媒または酸化ルテニウム複合酸化物型触媒もまた好ましく用いられる。
【００３０】
反応工程（Ｓ１２）において使用される触媒は、たとえば、二酸化シリコン、グラファイト、ルチル型またはアナターゼ型の二酸化チタン、二酸化ジルコニウム、酸化アルミニウム等の担体に担持させて用いることが好ましい。特に酸化ルテニウムをこれらの化合物から選択される担体に担持させて用いることが好ましい。
【００３１】
反応工程（Ｓ１２）の反応方式としては、たとえば固定床反応器を用いた固定床気相流通方式が適用できる。固定床式反応器には、たとえば特開２０００−２７２９０７号公報に記載の方法によって、反応域のうち少なくとも二の反応域の温度制御を熱交換方式で行うものを用いることができる。このような反応領域を２つ以上に分けた反応器では、第１段目の反応域を２つ準備し、２段目以降が被毒される前に、第１段目を交互に切り替えて使用すれば実質的に問題を回避できる。しかし、高価な反応器を２基準備することはコストの観点から不利であるという面もある。
【００３２】
固定床式反応器としては、単一または直列に連結された複数の固定床反応管で、反応管の外側にジャケット部を有するものが挙げられる。反応管内の温度は、ジャケット部の熱媒体によって制御される。反応で生成した反応熱は、熱媒体を通じて、スチームを発生させて回収することができる。熱媒体としては、溶融塩、有機熱媒体および溶融金属などを挙げることができるが、熱安定性や取り扱いの容易さなどの点から溶融塩が好ましい。溶融塩の組成としては、硝酸カリウム５０重量％と亜硝酸ナトリウム５０重量％の混合物、硝酸カリウム５３重量％と亜硝酸ナトリウム４０重量％と硝酸ナトリウム７重量％の混合物を挙げることができる。反応管に使用される材質としては、金属、ガラス、セラミックなどが挙げられる。金属材料としては、Ｎｉ、ＳＵＳ３１６Ｌ、ＳＵＳ３１０、ＳＵＳ３０４、ハステロイＢ、ハステロイＣおよびインコネルなどが挙げられるが、中でもＮｉが好ましく、炭素含有量が０．０２重量％以下のＮｉが特に好ましい。
【００３３】
また、反応器１０１の入口部における硫黄成分濃度は、１０００ｖｏｌｐｐｂ以下であるのが好ましく、５００ｖｏｌｐｐｂ以下であるのがより好ましい。反応器１０１の入口部における硫黄成分濃度が１０００ｖｏｌｐｐｂを超えると、触媒の全部でなく被毒された触媒のみを交換すれば、硫黄の被毒を回避することができるが、交換の間プラントの運転を停止しなければならず、また非常に煩雑な作業が必要となる虞があるためである。反応器１０１の入口部における硫黄成分濃度が１０００ｖｏｌｐｐｂ以下であれば、実質的に問題なく運転可能であり、従来と比較して格段に高い硫黄成分濃度を許容することができるので、大掛かりな装置や煩雑な操作を伴って硫黄成分を完全に除去する必要がない。したがって、触媒を充填しなおすことなく、長期にわたって運転を継続することができる。なお、この反応器の入口部における硫黄成分濃度は、たとえばガスクロマトグラフ法により測定することができる。
【００３４】
次に、吸収塔１０２にて、反応工程（Ｓ１２）で得た塩素、水、未反応塩化水素および未反応酸素を主成分とするガスを、水および／または塩酸水と接触させることにより、および／または、冷却することにより、塩化水素と水とを主成分とする溶液を回収し、塩素と未反応酸素とを主成分とする混合ガスを得る吸収工程（Ｓ１３）を実施する。吸収工程（Ｓ１３）では、接触温度は０〜１００℃、圧力は０．０５〜１ＭＰａで行われる。接触させる塩酸水の濃度は、２５重量％以下が好ましい。また、塩素水和物析出防止のために、特開２００３−２６１３０６号公報に記載の方法を採用するのが好ましい。
【００３５】
得られた溶液は、そのまま、あるいは溶液中に含まれる塩素を加熱、および／または窒素などの不活性なガスのバブリングにより除去した後、電解槽のｐＨ調整、ボイラーフィールド水の中和、アニリンとホルマリンの縮合転移反応および塩酸水電解の原料、食品添加用などに用いることができる。また、ソーダハンドブック１９９８、ｐ３１５の図３．１７３に記載されているように塩酸の全部および一部を放散させてＨＣｌガスを得、反応原料として塩素収率を高めることも、さらには特開２００１−１３９３０５号公報に記載の方法で、放散後の残塩酸から水を除去することで、塩素の収率をほぼ１００％にすることも可能である。
【００３６】
次に、吸収工程（Ｓ１３）で得た混合ガス中の水分を除去することにより、乾燥した混合ガスを得る乾燥工程（Ｓ１４）を実施する。乾燥工程（Ｓ１４）後のガス中の水分は０．５ｍｇ／ｌ以下、好ましくは０．１ｍｇ／ｌ以下である。混合ガス中の水分を除去する化合物としては、硫酸、塩化カルシウム、過塩素酸マグネシウム、ゼオライトなどが挙げられるが、中でも使用後の排出が容易であることから、硫酸が好ましい。混合ガス中の水分を除去する方法としては、吸収工程（Ｓ１３）で得た塩素と未反応酸素とを主成分とする混合ガスを硫酸と接触させる方法が挙げられる。
【００３７】
乾燥工程（Ｓ１４）において、加える硫酸の濃度は、９０重量％以上が好ましい。硫酸濃度が９０重量％よりも小さいと、混合ガス中の水分が十分に除去されないことがある。接触温度は０〜８０℃、圧力は０．０５〜１ＭＰａで行われる。
【００３８】
乾燥剤として硫酸を使用した場合は、乾燥工程（Ｓ１４）の直後で硫酸ミストを除去するのが好ましい。たとえば、ブリンクエリミネーターや特開２００３−１８１２３５号公報記載の方法を適用することができる。
【００３９】
＜圧縮混合ガス製造工程＞
次に、混合ガスを圧縮機１０４の吸入部１０４ａに導入して、圧縮機１０４により混合ガスを圧縮して、圧縮混合ガスを製造する圧縮混合ガス製造工程（Ｓ２０）を実施する。圧縮混合ガス製造工程（Ｓ２０）により、精製塔１０５内の圧力調整を容易にできる。
【００４０】
圧縮機１０４は、実施の形態１のプロセスにおける乾燥塔１０３と精製塔１０５との間に配置されていれば特に限定されない。また、圧縮機１０４は、任意の圧縮機を用いることができる。
【００４１】
＜精製工程＞
次に、圧縮混合ガスを精製塔１０５に導入して、蒸留により精製塩素と不純物とに分離する精製工程（Ｓ３０）を実施する。精製工程（Ｓ３０）により、乾燥工程（Ｓ１４）で得た乾燥した混合ガスを、塩素を主成分とする液体またはガス（精製塩素）と未反応酸素を主成分とするガス（不純物）とに分離することにより塩素を得る。実施の形態１では、得られた精製塩素は液塩ドラム１０８に貯留させる。
【００４２】
塩素を主成分とする液体またはガスと未反応酸素を主成分とするガスとに分離する方法としては、圧縮および／または冷却する方法、および／または公知の方法（たとえば特開平３−２６２５１４号公報、特表平１１−５００９５４号公報など）が挙げられる。たとえば、乾燥工程（Ｓ１４）で得た混合ガスを圧縮および／または冷却することによって、塩素を主成分とする液体（精製塩素）が未反応酸素を主成分とするガス（不純物）と分離される。塩素の液化は、圧力と温度で規定される塩素が液体状態で存在し得る範囲で実施される。その範囲で低温にすればするほど、圧縮圧力が低くなるために圧縮動力は小さくできるが、工業的には設備などの問題から、圧縮圧力と冷却温度はこの範囲内の最適な経済条件を考慮して決められる。通常の運転においては、塩素液化の圧縮圧力は０．５〜５ＭＰａ、冷却温度は−７０〜４０℃で行われる。なお、圧縮混合ガス製造工程（Ｓ２０）では、精製塔１０５でこのような圧力となるように圧縮機１０４で混合ガスを圧縮することが好ましい。
【００４３】
精製工程（Ｓ３０）では、不純物を精製塔１０５の塔頂１０５ａから排出する工程（Ｓ３１）を実施することが好ましい。不純物は、未反応酸素ガスを主成分としているため、塩素よりも沸点が低い。そのため、蒸留された不純物は、気体となるため、塔頂１０５ａから不純物を排出することが好ましい。
【００４４】
排出する工程（Ｓ３１）では、精製塔１０５から排出される不純物を実施の形態１のプロセスの系外にパージする。この際、不純物（パージガス）中には残留塩素が含まれているので、環境への負荷を低減するため、該パージガス中の塩素をさらに除去するための除害工程を実施することが好ましい。塩素を除去する方法としては、該パージガスを、たとえばアルカリ金属水酸化物の水溶液、アルカリ金属チオ硫酸塩の水溶液、アルカリ金属亜硫酸塩とアルカリ金属炭酸塩を溶解させた水溶液、アルカリ金属水酸化物とアルカリ金属亜硫酸塩を溶解させた水溶液等と接触させる方法や、パージガス中の塩素を分離回収する公知の方法（特開平３−２６２５１４号公報、特開平１０−２５１０２号公報、特表平１１−５００９５４号公報）等が挙げられる。該パージガスの量は、精製工程（Ｓ３０）において塩素と分離された未反応酸素を主成分とするパージガスのうち１〜５０体積％、さらに１〜３０体積％とされることが好ましい。
【００４５】
なお、本発明で得られる精製塩素においては、水素は実質的に検出されないことが好ましい。また、臭素およびヨウ素は精製塩素中の濃度が１０ｐｐｍ以下、三塩化窒素（ＮＣｌ3）は精製塩素中の濃度が１ｗｔｐｐｍ以下とされることが好ましい。
【００４６】
また、酸素、窒素、二酸化炭素、水素の濃度はたとえばガスクロマトグラフ法、臭素、ヨウ素はたとえば酸化還元滴定法、三塩化窒素はたとえば吸光光度法によりそれぞれ測定することができる。
【００４７】
＜測定工程＞
次に、精製塔１０５から排出される精製塩素の純度を測定する測定工程を実施することが好ましい。そして、測定工程により測定される精製塩素の純度が所定の純度以上であるか否かを判断する工程（Ｓ４０）を実施する。判断する工程（Ｓ４０）で精製塩素の純度が所定の純度未満である場合には、判断する工程（Ｓ４０）でＮＯと判断される。この場合には、精製塩素を圧縮機１０４の吸入部１０４ａに導入して、混合ガスと精製塩素とを圧縮する再圧縮工程を実施する。
【００４８】
なお、「純度」は、精製塩素中の塩素の純度を意味し、「所定の純度」は、９９．０％以上が好ましく、９９．５％以上がより好ましい。塩素の純度を９９％以上とすることによって、種々の用途に用いることができる。塩素の純度を９９．５％以上とすることによって、塩化ビニルやホスゲンの原料として好適に用いることができる。
【００４９】
また、測定工程において精製塔１０５から排出される精製塩素を測定する方法は任意の方法を採用でき、たとえばガスクロマトグラフ法などのオンライン分析計により測定することができる。
【００５０】
＜再圧縮工程＞
判断する工程（Ｓ４０）でＮＯと判断された場合には、混合ガスと精製塩素とを圧縮する再圧縮工程を実施する。具体的には、たとえば図２に示すように、精製塔１０５から排出される精製塩素を液塩タンク１０８に貯留する。そして、液塩タンク１０８から所定量の精製塩素を抜き出し、フラッシュさせた後、気化器１０９で気化させる。気化された精製塩素を圧縮機１０４の吸入部１０４ａに導入する。そして、実施の形態１のプロセスにおいて、精製塔１０５と、乾燥塔１０３と圧縮機１０４との間とを接続する配管の途中に配置される弁１０６を開ける。かつ、実施の形態１のプロセスにおいて、精製塔１０５（実施の形態１では気化器１０９）と製品塩素を送気する配管との途中に配置される弁１０７を閉じる。これにより、精製塩素を圧縮機１０４の吸入部１０４ａに導入することができる。
【００５１】
そして、圧縮機１０４の吸入部１０４ａで、精製塔１０５から排出された精製塩素と乾燥塔１０３から排出された乾燥された塩素を含む混合ガスとを混合する。そして、圧縮機１０４で混合されたガスを圧縮して、再圧縮ガスを製造する。そして、再圧縮ガスを精製塔１０５に導入する。
【００５２】
再圧縮工程実施後は、精製工程（Ｓ３０）および判断する工程（Ｓ４０）を繰り返す。これらの工程（Ｓ３０，Ｓ４０）は、上述した内容と同様に実施する。
【００５３】
＜塩素製造工程＞
一方、測定工程を実施して、精製塔１０５から排出される塩素の純度が所定の純度以上であるか否かを判断する工程（Ｓ４０）において、ＹＥＳと判断されれば、実施の形態１のプロセスの系内に充満していた不活性ガスや空気が排除されている。そのため、実施の形態１のプロセスにおけるスタートアップは終了する。スタートアップが終了すると、精製塩素を製品塩素として排出する。
【００５４】
具体的には、実施の形態１のプロセスにおいて、精製塔１０５と、乾燥塔１０３と圧縮機１０４との間とを接続する配管の途中に配置される弁１０６を閉じる。かつ、精製塔１０５（実施の形態１では気化器１０９）と製品塩素を送気する配管との途中に配置される弁１０７を開ける。これにより、精製塔１０５から排出される精製塩素を製品塩素として製造できる。
【００５５】
なお、判断する工程（Ｓ４０）でＹＥＳと判断された後には、工程（Ｓ１０〜Ｓ３０）により、精製塩素を製品塩素として製造できる。精製塔１０５から排出された精製塩素を主成分とする液体は、そのまま、あるいは一部または全部を気化器１０９で気化させた後、たとえば塩化ビニルおよびホスゲンなどの原料として用いることができる。一部または全部を気化させた後に用いる場合は、乾燥工程（Ｓ１４）で得られる混合ガスと熱交換を行うことにより、気化に必要な熱の一部を得ると同時に、乾燥工程（Ｓ１４）で得られる塩素を含む混合ガス中の塩素の液化に必要な外部冷媒による冷却負荷を削減することが可能である。同様に、液体フロンの予備冷却や、塩素蒸留塔などの還流液の冷却に用いることもできる。
【００５６】
また、精製工程（Ｓ４０）で得た未反応酸素を主成分とするガスの一部または全部を反応工程（Ｓ１２）へ供給する循環工程を実施することが好ましい。また、このように硫酸ミストを含むガスを反応工程（Ｓ１２）に循環させるに際し、反応器１０１の入口部における硫黄成分濃度は、上述したように１０００ｖｏｌｐｐｂ以下であることが好ましい。
【００５７】
以上説明したように、本発明の実施の形態１におけるスタートアップ方法によれば、塩化水素から塩素を製造するプロセスのスタートアップ方法であって、塩化水素から塩素を含む混合ガスを製造する混合ガス製造工程（Ｓ１０）と、混合ガスを圧縮機１０４の吸入部１０４ａに導入して、圧縮機１０４により混合ガスを圧縮して、圧縮混合ガスを製造する圧縮混合ガス製造工程（Ｓ２０）と、圧縮混合ガスを精製塔１０５に導入して、蒸留により精製塩素と不純物とに分離する精製工程（Ｓ３０）と、精製塩素を圧縮機１０４の吸入部１０４ａに導入して、混合ガスと精製塩素とを圧縮する再圧縮工程とを備えている。これにより、スタートアップ時には、精製塔１０５で得られた精製塩素を、系外にパージせずに、液塩ドラム１０８に滞留させ、所定量の精製塩素は気化器１０９で蒸発させて圧縮機１０４を介して再度精製塔１０５に導入している。すなわち、精製塩素を実施の形態１のプロセスの系内で滞留または循環させているため、スタートアップ時に系外へパージする塩素を削減できる。そのため、実施の形態１のプロセスで原料から塩素を製造する効率を向上できる。
【００５８】
また、系外へパージする塩素を削減できるので、除害工程においてパージする塩素を処理するために要するアルカリ溶液の使用量を削減することができる。そのため、スタートアップ時において、コストの削減を図ることができる。
【００５９】
上記スタートアップ方法において好ましくは、精製工程（Ｓ３０）では、不純物を精製塔１０５の塔頂１０５ａから排出する工程（Ｓ３１）を含んでいる。これにより、不純物を精製塔１０５から系外へより効率良くパージできる。
【００６０】
上記スタートアップ方法において好ましくは、精製塔１０５から排出される精製塩素の純度を測定する測定工程をさらに備えている。これにより、精製塩素の純度を管理できるので、製品塩素の純度を所望の範囲内にして、高い品質を維持できる。
【００６１】
上記スタートアップ方法において好ましくは、測定工程で精製塩素の純度が所定の純度未満である場合に、再圧縮工程を実施する。これにより、精製塩素が所定の範囲内の純度を満たすまで、精製塩素が系内を滞留または循環して、系外へパージされない。そのため、スタートアップ時に系内から排出される塩素をより削減できる。また、系内から排出される塩素の量を削減できるので、除害工程で要するアルカリ溶液の使用量を削減することができる。さらに、精製塩素の純度を厳密に管理できるので、製品塩素の純度を維持できる。
【００６２】
上記スタートアップ方法において好ましくは、混合ガス製造工程（Ｓ１０）は、塩化水素を酸化して、塩素と酸素とを含む混合ガスを得る工程（Ｓ１２，Ｓ１３）を含んでいる。すなわち、塩酸酸化法により塩化水素から塩素を製造するプロセスのスタートアップ方法を適用している。そのため、スタートアップ時に系外に排出する塩素を削減するとともに、製造時には、塩化水素から塩素を効率的に製造することができる。
【００６３】
（実施の形態２）
図１および図３を参照して、本発明の実施の形態２におけるスタートアップ方法を説明する。実施の形態２は、塩化水素から塩素を製造するプロセスとしての塩酸水電解法のスタートアップ方法である。なお、図３は、本発明の実施の形態２におけるスタートアップ方法を説明するための図である。
【００６４】
実施の形態２におけるスタートアップ方法は、基本的には実施の形態１のスタートアップ方法と同様であるが、混合ガス製造工程（Ｓ１０）においてのみ異なる。実施の形態２の塩酸水電解法による混合ガス製造工程（Ｓ１０）は、たとえばソーダハンドブック１９９８、ｐ２９６−２９７などを適用することができる。以下、混合ガス製造工程（Ｓ１０）について説明する。
【００６５】
まず、図３に示すように、塩素の原料として塩化水素ガスを吸収塔２０１に供給する。また、水を吸収塔２０１に供給する。これにより、吸収塔２０１で塩酸を製造する。
【００６６】
次に、吸収塔２０１で得られた塩酸を液相電槽２０２に供給する。詳細には、液相電槽２０２は陰極室および陽極室を含み、それぞれ複数の電解エレメントを有している。そして、陰極室および陽極室に塩酸をそれぞれ供給する。液相電槽２０２では、塩酸が各エレメントを流れる間に電解されて、陽極室では塩素を、陰極室では水素を主に排出する。これにより、液相電槽２０２の陽極室から排出される塩素を含む混合ガスを得られる。
【００６７】
次に、液相電槽２０２から排出される塩素を含む混合ガスを乾燥塔１０３に供給する。乾燥塔１０３では実施の形態１における乾燥工程（Ｓ１４）と同様であるので、その説明は繰り返さない。これにより、乾燥された塩素を含む混合ガスを得られる。
【００６８】
次に、混合ガスを圧縮機１０４の吸入部１０４ａに導入して、圧縮機１０４により混合ガスを圧縮して、圧縮混合ガスを製造する圧縮混合ガス製造工程（Ｓ２０）を実施する。次に、圧縮混合ガスを精製塔１０５に導入して、蒸留により精製塩素と不純物とに分離する精製工程（Ｓ３０）を実施する。そして、精製塩素を圧縮機１０４の吸入部１０４ａに導入して、混合ガスと精製塩素とを圧縮する再圧縮工程を実施する。これらの工程は、実施の形態１と同様であるので、その説明は繰り返さない。
【００６９】
以上説明したように、本発明の実施の形態２におけるスタートアップ方法によれば、塩酸水電解法による塩化水素から塩素を製造するプロセスのスタートアップ方法に適用することができる。そのため、塩酸水電解法であっても、系外へパージする塩素を削減でき、パージに伴う塩素を処理するために要するアルカリ溶液の使用量を削減することができる。
【００７０】
（実施の形態３）
図１および図４を参照して、本発明の実施の形態３におけるスタートアップ方法を説明する。実施の形態３は、塩化水素から塩素を製造するプロセスとしての無水塩酸電解法のスタートアップ方法である。なお、図４は、本発明の実施の形態３におけるスタートアップ方法を説明するための図である。
【００７１】
実施の形態３におけるスタートアップ方法は、基本的には実施の形態１のスタートアップ方法と同様であるが、混合ガス製造工程（Ｓ１０）においてのみ異なる。実施の形態３の無水酸電解法による混合ガス製造工程（Ｓ１０）は、たとえば特表２００１−５１６３３３号公報などを適用することができる。以下、混合ガス製造工程（Ｓ１０）について説明する。
【００７２】
具体的には、まず、図４に示すように、塩素の原料として塩化水素ガスを電気化学槽３０１に供給する。また、水素および水を電気化学槽３０１に供給する。電気化学槽３０１内で、無水の塩化水素を乾燥している塩素ガスに直接変換する。
【００７３】
詳細には、電気化学槽３０１内では、以下の反応により分子状の無水塩化水素に電気エネルギーを印加して、以下の反応式により、乾燥した塩素ガスとプロトンとが生成する。これにより、電気化学槽３０１から塩素を含む混合ガスが排出される。
２ＨＣｌ→２Ｈ+＋２Ｃｌ2＋２ｅ-
【００７４】
次に、電気化学槽３０１から排出される塩素を含む混合ガスを乾燥塔１０３に供給する。乾燥塔１０３では実施の形態１における乾燥工程（Ｓ１４）と同様であるので、その説明は繰り返さない。これにより、乾燥された塩素を含む混合ガスを得られる。
【００７５】
次に、混合ガスを圧縮機１０４の吸入部１０４ａに導入して、圧縮機１０４により混合ガスを圧縮して、圧縮混合ガスを製造する圧縮混合ガス製造工程（Ｓ２０）を実施する。次に、圧縮混合ガスを精製塔１０５に導入して、蒸留により精製塩素と不純物とに分離する精製工程（Ｓ３０）を実施する。そして、精製塩素を圧縮機１０４の吸入部１０４ａに導入して、混合ガスと精製塩素とを圧縮する再圧縮工程を実施する。これらの工程は、実施の形態１と同様であるので、その説明は繰り返さない。
【００７６】
以上説明したように、本発明の実施の形態３におけるスタートアップ方法によれば、無水塩酸電解法による塩化水素から塩素を製造するプロセスのスタートアップ方法に適用することができる。そのため、無水塩酸電解法であっても、系外へパージする塩素を削減でき、パージに伴う塩素を処理するために要するアルカリ溶液の使用量を削減することができる。
【００７７】
（実施の形態４）
図１および図５を参照して、本発明の実施の形態４におけるスタートアップ方法を説明する。実施の形態４は、塩化水素から塩素を製造するプロセスとしての酸素消費電極塩酸電解法のスタートアップ方法である。なお、図５は、本発明の実施の形態４におけるスタートアップ方法を説明するための図である。
【００７８】
実施の形態４におけるスタートアップ方法は、基本的には実施の形態１のスタートアップ方法と同様であるが、混合ガス製造工程（Ｓ１０）においてのみ異なる。実施の形態４の酸素消費電極塩酸電解法により混合ガスを製造する混合ガス製造工程（Ｓ１０）は、たとえば特開２００３−４９２９０号公報などを適用することができる。以下、混合ガス製造工程（Ｓ１０）について説明する。
【００７９】
具体的には、まず、図４に示すように、塩素の原料として塩化水素水溶液を電解槽４０１に供給する。また、酸素含有ガスを電解槽４０１に供給する。電解槽４０１内で、塩素を含む混合ガスが得られる。
【００８０】
詳細には、図５に示すように、電解槽４０１は、カチオン交換膜４０１ｅにより酸素消費型陰極４０１ｄを有する陰極室４０１ａと、陽極４０１ｃを有する陽極室４０１ｂとに区分されている。酸素消費型陰極４０１ｄは、カチオン交換膜４０１ｅの陰極室４０１ａ側に配置されている。電流分布器４０１ｆは、酸素消費型陰極４０１ｄの陰極室４０１ａ側に配置されている。陽極室４０１ｂ中の圧力が高いので、カチオン交換膜４０１ｅは酸素消費型陰極４０１ｄの上に、酸素消費型陰極４０１ｄは電流分布器４０１ｆの上に押し付けられる。このようにして、酸素消費型陰極４０１ｄは充分な電気的接触を形成し、電流が充分に供給される。
【００８１】
原料としての塩化水素水溶液は、陽極室４０１ｂへ供給される。陽極４０１ｃで塩素が生成して、陽極室４０１ｂから排出される。酸素含有ガスは、陰極室４０１ａの中へ供給され、そこで陽極室４０１ｂから酸素消費型陰極４０１ｄの中に拡散するプロトンと酸素消費型陰極４０１ｄで反応して、水を生成する。生成する水は、過剰な酸素含有ガスとともに排出される。
【００８２】
次に、電解槽４０１から排出される塩素を含む混合ガスを乾燥塔１０３に供給する。乾燥塔１０３では実施の形態１における乾燥工程（Ｓ１４）と同様であるので、その説明は繰り返さない。これにより、乾燥された塩素を含む混合ガスが得られる。
【００８３】
次に、混合ガスを圧縮機１０４の吸入部１０４ａに導入して、圧縮機１０４により混合ガスを圧縮して、圧縮混合ガスを製造する圧縮混合ガス製造工程（Ｓ２０）を実施する。次に、圧縮混合ガスを精製塔１０５に導入して、蒸留により精製塩素と不純物とに分離する精製工程（Ｓ３０）を実施する。そして、精製塩素を圧縮機１０４の吸入部１０４ａに導入して、混合ガスと精製塩素とを圧縮する再圧縮工程を実施する。これらの工程は、実施の形態１と同様であるので、その説明は繰り返さない。
【００８４】
以上説明したように、本発明の実施の形態４におけるスタートアップ方法によれば、酸素消費電極塩酸電解法による塩化水素から塩素を製造するプロセスのスタートアップ方法に適用することができる。そのため、酸素消費電極塩酸電解法であっても、系外へパージする塩素を削減でき、パージすることに伴う塩素を処理するために要するアルカリ溶液の使用量を削減することができる。
【００８５】
なお、実施の形態１〜４における塩化水素から塩素を製造するプロセスのスタートアップ方法は一例であり、本発明スタートアップ方法は塩化水素から塩素を製造する全てのプロセスのスタートアップ方法に適用できる。
【００８６】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【図面の簡単な説明】
【００８７】
【図１】本発明の実施の形態１におけるスタートアップ方法を示すフローチャートである。
【図２】本発明の実施の形態１におけるスタートアップ方法を説明するための図である。
【図３】本発明の実施の形態２におけるスタートアップ方法を説明するための図である。
【図４】本発明の実施の形態３におけるスタートアップ方法を説明するための図である。
【図５】本発明の実施の形態４におけるスタートアップ方法を説明するための図である。
【符号の説明】
【００８８】
１０１  反応器、１０２，２０１  吸収塔、１０３  乾燥塔、１０４  圧縮機、１０４ａ  吸入部、１０５  精製塔、１０５ａ  塔頂、１０６，１０７  弁、１０８  液塩ドラム、１０９  気化器、２０２  液相電槽、３０１  電気化学槽、４０１  電解槽、４０１ａ  陰極室、４０１ｂ  陽極室、４０１ｃ  陽極、４０１ｄ  酸素消費型陰極、４０１ｅ  カチオン交換膜、４０１ｆ  電流分布器。
【図１】
2008063175.tif 000003
【図２】
2008063175.tif 000004
【図３】
2008063175.tif 000005
【図４】
2008063175.tif 000006
【図５】
2008063175.tif 000007